(57)【要約】【課題】平面寸法の小さい板ばねで、調整作業性に優れた高精度の傾角調整を行える傾角調整機構および傾角調整方法を提供する。【解決手段】一体型板ばね１８のうち、幅の狭いばね片２１の第１板ばね部２２の第１当接部２２ａはディスクモータベース３０の下面に当接しており、第１板ばね部２２の反力がディスクモータベース３０に作用する。同時に、第２板ばね部２４の第２当接部２４ａはメカシャーシベース１０の上面に当接しており、第２板ばね部２４の反力がメカシャーシベース１０に作用する。幅の狭いばね片２１の反力は第１板ばね部２２の反力と第２板ばね部２４の反力との和となる。【選択図】　　　　図１
2004030722.tif 000002
【特許請求の範囲】
【請求項１】
ディスク装置における光ピックアップを摺動可能に保持するメカシャーシベース上に設けられ、ディスクモータを固定したディスクモータベースを前記メカシャーシベースから離間させる方向に付勢する板ばねと、該板ばねに対しその付勢力に抗して負荷をかける調整ねじとを備え、前記板ばねは一枚の板金と該板金から切り起こした複数のばね片とからなる一体型板ばねであり、該一体型板ばねのうち、幅の狭いばね片をその撓み方向に折り曲げて、前記ディスクモータベースに接触する第１当接部を有する第１ばね部と前記メカシャーシベースに接触する第２当接部を有する第２ばね部とを設けた傾角調整機構。
【請求項２】
幅の狭いばね片は、第２ばね部の第２当接部が調整ねじの締め込み途中においてメカシャーシベースに接触するように構成されたことを特徴とする請求項１記載の傾角調整機構。
【請求項３】
ディスクモータベースはメカシャーシベースに立設された基準部材の頂部に螺合する固定ねじを位置決めするＶ字部分を有するねじ穴と、該ねじ穴の前記Ｖ字部分の近傍に形成された貫通穴とを備えると共に、一体型板ばねのうち、幅の広いばね片は、その撓み方向と反対の方向に切り起こされかつ前記ディスクモータベースの前記貫通穴内に挿入されると共に、前記固定ねじの締め込みに際し前記基準部材を前記ねじ穴のＶ字部分に押し付ける押圧片を備えたことを特徴とする請求項１または請求項２記載の傾角調整機構。
【請求項４】
ディスク装置における光ピックアップを摺動可能に保持するメカシャーシベース上に設けられ、ディスクモータを固定したディスクモータベースを支持する一体型板ばねに対し、その付勢力に抗して調整ねじで負荷をかけながら前記光ピックアップの光軸と前記ディスクモータの回転軸との角度を調整した後、ディスクモータベースの穴部とメカシャーシベースに立設された基準部材との間に半田を塗布して前記ディスクモータベースとメカシャーシベースとを固定することを特徴とする傾角調整方法。
【発明の詳細な説明】
【０００１】
【発明の属する技術分野】
この発明は、光ディスクの情報の記録や再生等を行うディスク装置における光ピックアップの光軸に対するディスクモータの回転軸の角度を微調整する傾角調整機構および傾角調整方法に関するものである。
【０００２】
【従来の技術】
一般に、ディスク装置においては、メカシャーシ側のベース（以下、メカシャーシベースという）上にディスクモータベースが載置されている。このディスクモータベースには、光ディスクを載置するターンテーブルおよびこのターンテーブルを回転駆動するディスクモータが固定されている。ディスクモータおよびターンテーブルの各回転軸はディスクモータベースに直交するように設定されている。また、メカシャーシベース上には、上記ターンテーブル上に載置される光ディスクの径方向に移動可能な光ピックアップが配置されている。光ピックアップのレーザ光線は、光ディスクの情報の記録やその再生を行うために、光ディスクに対し直角に近い角度となるように調整される必要がある。このため、メカシャーシベースとディスクモータベースとの間には、例えば特開２０００−９９９７４号公報に開示されているように、メカシャーシベースに対するディスクモータベースの取り付け角度を微調整することで、メカシャーシベース上に配設された光ピックアップの光軸に対するディスクモータの回転軸の角度を微調整する傾角調整機構が配設されている。
【０００３】
図１７は上記公報に開示された従来のディスク装置における傾角調整機構の構成を示す断面図である。図において１は光ディスクであり、２は光ディスク１を載置するターンテーブルであり、３はターンテーブル２を回転駆動するスピンドルモータ（以下、ディスクモータ）であり、３ａはディスクモータ３の出力軸であり、４はメカシャーシベースである。メカシャーシベース４には円形状の開口部４ａが設けられており、この開口部４ａの周縁部には３つのねじ穴（図１７においてねじ穴４ｂおよび４ｃのみを示す）が形成されている。一方、ディスクモータ３はディスクモータベース５の中心穴５ａ上に固定されており、このディスクモータベース５の周縁部には３つのねじ穴（図１７においてねじ穴５ｂおよび５ｃのみを示す）が形成されている。このようなディスクモータベース５はメカシャーシベース４の開口部４ａの周縁部に対し例えばねじ６ｂおよび６ｃを締め込むことにより取り付けられている。ねじ６ｃの外周部にはメカシャーシベース４とディスクモータベース５との間にスペーサ７が配設されている。また、ねじ６ｂの外周部にはメカシャーシベース４とディスクモータベース５との間に付勢ばねとしての圧縮ばね８が配設されている。なお、ねじ６ｂと圧縮ばね８とは従来の傾角調整機構を構成する。
【０００４】
次に動作について説明する。
ねじ６ｃを締め込むことにより、スペーサ７の厚さによりねじ６ｃ側のディスクモータベース５とメカシャーシベース４との高さを設定する。次に、ねじ６ｂを締め込むことにより、圧縮ばね８の付勢力に抗してねじ６ｂ側のディスクモータベース５とメカシャーシベース４との高さを調整する。これにより、ディスクモータ３の出力軸３ａとメカシャーシベース４との角度θが略９０°近傍で微調整される。
【０００５】
【発明が解決しようとする課題】
しかし、従来の傾角調整機構は上述のような構成を有しているので、次のような課題があった。
一般に、傾角調整機構における付勢ばねとしては、調整ストローク範囲内ではできるだけ付勢力が変化しないばね定数の低いものが望ましいが、同時に、傾角調整後においては、モータ３による振動および衝撃力に耐えて傾角を保持するだけの高い保持力を有することも求められる。このため、付勢ばねを図１７に示すように圧縮ばねで構成する場合には、調整後の傾角保持を優先して付勢力の強い圧縮ばねを使用せざるを得ない。この場合には、調整作業が困難となる。また、この要求仕様を満たす圧縮ばねを用いる場合には、高さ調整（製品厚み）方向に圧縮ばねを配置するためのスペースが必要になるため、製品の薄形化を図れない。
【０００６】
これに対し、付勢ばねを圧縮ばねに代えて板ばねで構成する傾角調整機構も知られている。この場合、板ばねを用いることで製品の薄形化を図れるが、上記要求仕様を満たすためには、その平面寸法が大きくなり、メカ全体の寸法が大きくなると共に、特に複数のばね片を一体化した一体型板ばねでは他物を避けるために細くしたばね片だけをばね力の高い材料で構成することができないため上記要求仕様を満たせないという第１の課題があった。
【０００７】
さらに、ディスクモータベース等の部品を組付ける際には、上記要求仕様を満たす高い付勢力（反力）を有する板ばねに抗して部品を位置決めし、かつねじ止めしなければならず、その組付作業やその後の調製作業が困難となるという第２の課題があった。
【０００８】
また、傾角調整前にディスクモータベースをメカシャーシベース面内方向に位置決めする際、メカシャーシベースに設けた円筒状の基準部材と、ディスクモータベースに設けた丸穴との嵌め合いで位置決めする場合には、基準部材の外径と丸穴の内寸法が部品公差内でばらつくため、両者間の隙間が変化する。これにより位置決めが安定せず、特にディスクモータベースのディスクジッター方向の位置ズレが大きくなると、再生特性が劣化するという第３の課題があった。
【０００９】
さらに、調整ねじと板ばねを用いた傾角調整方法では、振動や温度変化などにより、経時的に調整後にねじが緩み、調整がずれることがある。この対策として、調整後にねじを接着固定することが考えられるが、固定後にディスクモータベースの部品交換を実施する場合を想定すると、完全接着できないという第４の課題があった。
【００１０】
この発明は上記のような課題を解決するためになされたもので、平面寸法を増やすことなく、要求仕様を満たす板ばねと調整ねじとで構成した傾角調整機構を得ることを第１の目的とする。
【００１１】
この発明は、部品を組み付ける際に低い反力を発生する板ばねと調整ねじとで構成した傾角調整機構を得ることを第２の目的とする。
【００１２】
この発明は、メカシャーシベースに対し高い精度で位置決めしたディスクモータベースに対して高精度の傾角調整を行える傾角調整機構を得ることを第３の目的とする。
【００１３】
この発明は、傾角調整後にメカシャーシベースに対しディスクモータベースを取外し可能に固定する傾角調整方法を得ることを第４の目的とする。
【００１４】
【課題を解決するための手段】
この発明に係る傾角調整機構は、ディスク装置における光ピックアップを摺動可能に保持するメカシャーシベース上に設けられ、ディスクモータを固定したディスクモータベースをメカシャーシベースから離間させる方向に付勢する板ばねと、該板ばねに対しその付勢力に抗して負荷をかける調整ねじとを備え、板ばねは一枚の板金と該板金から切り起こした複数のばね片とからなる一体型板ばねであり、該一体型板ばねのうち、幅の狭いばね片をその撓み方向に折り曲げて、ディスクモータベースに接触する第１当接部を有する第１ばね部とメカシャーシベースに接触する第２当接部を有する第２ばね部とを設けたものである。
【００１５】
この発明に係る傾角調整機構は、幅の狭いばね片を、第２ばね部の第２当接部が調整ねじの締め込み途中においてメカシャーシベースに接触するように構成したものである。
【００１６】
この発明に係る傾角調整機構は、ディスクモータベースにメカシャーシベースに立設された基準部材の頂部に螺合する固定ねじを位置決めするＶ字部分を有するねじ穴と、該ねじ穴のＶ字部分の近傍に形成された貫通穴とを備えると共に、一体型板ばねのうち、幅の広いばね片に、その撓み方向と反対の方向に切り起こされかつディスクモータベースの貫通穴内に挿入されると共に固定ねじの締め込みに際し基準部材をねじ穴のＶ字部分に押し付ける押圧片を設けたものである。
【００１７】
この発明に係る傾角調整方法は、ディスク装置における光ピックアップを摺動可能に保持するメカシャーシベース上に設けられ、ディスクモータを固定したディスクモータベースを支持する一体型板ばねに対し、その付勢力に抗して調整ねじで負荷をかけながら光ピックアップの光軸とディスクモータの回転軸との角度を調整した後、ディスクモータベースの穴部とメカシャーシベースに立設された基準部材との間に半田を塗布してディスクモータベースとメカシャーシベースとを固定するものである。
【００１８】
【発明の実施の形態】
以下、この発明の実施の一形態を説明する。
実施の形態１．
図１はこの発明の実施の形態１による傾角調整機構の構成および当該傾角調整機構を備えるディスク装置の構成を示す分解斜視図であり、図２は図１の要部を拡大して示す概略斜視図であり、図３は図１に示した要部を矢印Ｓ方向から視た概略矢視図であり、図４は図１に示した傾角調整後のディスク装置の構成を矢印Ｚ方向から視た矢視図であり、図５は図１に示した傾角調整後のディスク装置の構成を矢印Ｚ（−）方向から視た矢視図である。なお、図中のＸ軸、Ｙ軸およびＺ軸は各図間で一致するように示されている。
【００１９】
図において１０はディスク装置におけるメカシャーシベースである。メカシャーシベース１０の裏面上には図１および図４に示すようにＹ軸方向に沿って一対のガイド軸１１および１２が配設されている。これらガイド軸１１および１２には光ピックアップ１３が摺動自在に支持されている。メカシャーシベース１０の裏面上であって両ガイド軸１１および１２の一端側領域には、後述のディスクモータベースの外縁部に対応する位置にそれぞれ円筒状の基準部材１４、ねじ部材１５および１６が配設されている。また、メカシャーシベース１０の裏面上であってねじ部材１６の近傍には後述のディスクモータベースの回転を阻止する断面矩形状の回り止め部１７がメカシャーシベース１０と一体に設けられている。
【００２０】
メカシャーシベース１０の裏面上であって上記基準部材１４、ねじ部材１５および１６の近傍には、後述のディスクモータベースを３点で支持する一体型板ばね１８が固定されている。一体型板ばね１８は、例えば図２に示すように３枚のばね片１９、２０および２１を１枚の板金から後述のディスクモータベース側へ斜めに切り起こしてなるものである。ばね片１９の先端中央部には基準部材１４との接触を避ける凹部１９ａとこの凹部１９ａを挟む位置に形成されかつ後述のディスクモータベースの一面に接触する一対の当接部１９ｂとが設けられている。ばね片２０の先端中央部にはねじ部材１５との接触を避ける凹部２０ａとこの凹部２０ａを挟む位置に形成されかつ後述のディスクモータベースの一面に接触する一対の当接部２０ｂとが設けられている。ばね片２１は後述のターンテーブル等の他物との接触を避けるために他のばね片１９および２０に比べて細長く、平面寸法が小さく設定されている。また、ばね片２１はその撓み方向（図１中のＺ方向）に折り曲げられて断面コ字状をなしており、基面部１８ａから後述のディスクモータベースの一面に向けて斜めに延びる第１ばね部２２と、この第１ばね部２２の上端が略直角に折り曲げられてメカシャーシベース１０の裏面に向けて斜めに延びる連絡部２３と、この連絡部２３の下端屈曲部２３ａから第１ばね部２２の延在方向に平行に延びる第２ばね部２４とから概略構成されている。第１ばね部２２の上端屈曲部分の外側は後述のディスクモータベースの一面に接触する第１当接部２２ａとなっており、第２ばね部２４の下端部分の外側はメカシャーシベース１０の裏面に接触する第２当接部２４ａとなっている。
【００２１】
このような構成の一体型板ばね１８は、その基面部１８ａにおいて固定ねじ２５および２６によりメカシャーシベース１０の裏面に固定されており、この上には図１に示すようにディスクモータベース３０が配設されている。ディスクモータベース３０には、メカシャーシベース１０の基準部材１４の上端を受け入れる位置決め穴３０ａと、ねじ部材１５および１６の上端を受け入れるねじ穴３０ｂおよび３０ｃと、回り止め部１７の上部を受け入れる断面矩形状に開口した回り止め穴３０ｄとが所定位置に設けられている。位置決め穴３０ａ内に挿入された基準部材１４の上部には雌ねじ（図示せず）が切られており、これには固定ねじ３１が取り付けられている。また、ねじ穴３０ｂおよび３０ｃ内に挿入されたねじ部材１５および１６の上部にはそれぞれ雌ねじ（図示せず）が切られており、これらには調整ねじ３２および３３が取り付けられている。ここで、メカシャーシベース１０に対するディスクモータベース３０のＸ−Ｙ平面内の位置決めは、位置決め穴３０ａと基準部材１４との嵌め合いによってＸ−Ｙ平面内の回動中心を規定すると共に、回り止め穴３０ｄと回り止め部１７との係合によってＸ−Ｙ平面内の回動を規制することによって行われる。
【００２２】
ディスクモータベース３０の下部には光ディスク（図示せず）を載置して回転駆動するターンテーブル３４が配設されており、ディスクモータベース３０の中央部分にはターンテーブル３４を軸支する回転軸３５ａを有するディスクモータ３５が配設されている。なお、図５に示すように、ディスクモータベース３０の表面（下面）の一部には光ピックアップ１３のディスク径方向の内周側での位置を検出するスイッチ３６が配設されている。
【００２３】
次に動作について説明する。
ディスクモータベース３０が一体型板ばね１８を介してメカシャーシベース１０上に配設され、固定ねじ３１、調整ねじ３２および３３がＺ方向に若干締め込まれた状態で、ディスクモータベース３０は一体型板ばね１８の３枚のばね片１９，２０および２１の反力により常にＺ（−）方向に付勢されている。この状態において各ねじの締め込み量に応じてメカシャーシベース１０に対するディスクモータベース３０のＺ方向高さや傾きが調整可能である。この調整に際し、ディスクモータベース３０のＺ方向の高さ基準を基準部材１４の上端面高さで規定する。即ち、固定ねじ３１を、そのねじ頭３１ａが基準部材１４の上端面と接する位置まで締め込み固定することにより、固定ねじ３１の高さ位置が定まり、ねじ頭３１ａと接するディスクモータベース３０の高さが規定される。
【００２４】
次に、ディスクモータベース３０の傾き調整は、調整ねじ３２および３３をＺ（＋）方向またはＺ（−）方向に移動させることにより行う。即ち、Ｘ軸回りの傾き調整は、調整ねじ３２をＺ（＋）方向またはＺ（−）方向に移動させ、ディスクモータベース３０を固定ねじ３１および調整ねじ３３によって高さ規定される回転軸まわりに回動されることにより行う。また、Ｙ軸回りの傾き調整は、調整ねじ３３をＺ（＋）方向またはＺ（−）に移動させ、ディスクモータベース３０を固定ねじ３１および調整ねじ３２で高さ規定される回転軸まわりに回動させることにより行う。
【００２５】
このような傾き調整において、図３に示すように、一体型板ばね１８のうち、幅の狭いばね片２１の第１板ばね部２２の第１当接部２２ａはディスクモータベース３０の下面に当接しており、調整ねじ３３のＺ（＋）方向の締め込みに対する第１板ばね部２２のＺ（−）方向の反力がディスクモータベース３０に作用している。同時に、第２板ばね部２４の第２当接部２４ａはメカシャーシベース１０の上面に当接しており、第２板ばね部２４のＺ（＋）方向の反力がメカシャーシベース１０に作用している。結果として、幅の狭いばね片２１の反力は第１板ばね部２２の反力と第２板ばね部２４の反力との和となり、他のばね片１９および２０の各反力に等しくなり、一体型板ばね１８の反力を安定させることができるので、ディスクモータベース３０の高さおよび傾きが確実に保持される。
【００２６】
以上のように、この実施の形態１によれば、傾角調整機構を構成する一体型板ばね１８のうち、幅の狭いばね片２１をその撓み方向に断面コ字状に折り曲げ、第１板ばね部２２および第２板ばね部２４を設けるように構成したので、ばね片２１の平面寸法を大きくすることなく、ばねとして作用する領域を広げることが可能となり、必要とされる高い保持力を確保することができるという効果がある。なお、この実施の形態１では、一体型板ばね１８のうち、ばね片２１のみの幅を他のばね片１９および２０よりも狭く設定したが、一体型板ばね１８の配置位置や他物との関係で他のばね片１９または２０の幅を狭く設定する場合もあり、その場合には、この実施の形態１におけるばね片２１と同様に、他のばね片１９または２０も例えば断面コ字状に折り曲げることで、必要とされる高い保持力を確保するようにしてもよい。
【００２７】
実施の形態２．
図６はこの発明の実施の形態２による傾角調整機構の構成であって、調整ねじの締め込み開始直後の状態を示す側面図であり、図７は図６に示した状態から調整ねじの締め込みをさらに続けた状態を示す側面図であり、図８は図７に示した状態から調整ねじの締め込みをさらに続けた状態を示す側面図である。なお、この実施の形態２による傾角調整機構の構成要素のうち、実施の形態１の傾角調整機構の構成要素と共通するものについては同一符号を付し、その部分の説明を省略する。
【００２８】
この実施の形態２の特徴は、一体型板ばね１８のうち、幅の狭いばね片２１の第２板ばね部２４の先端部である第２当接部２４ａが調整ねじ３３の締め込み途中においてメカシャーシベース１０の上面に接触するように構成した点にある。
【００２９】
次に動作について説明する。
Ｙ軸回りの傾き調整の初期段階においては、図６に示すように、一体型板ばね１８のうち、幅の狭いばね片２１の第１板ばね部２２の第１当接部２２ａのみがディスクモータベース３０の下面に当接しており、調整ねじ３３のＺ（＋）方向の締め込みに対する第１板ばね部２２のＺ（−）方向の反力がディスクモータベース３０に作用している。このとき、第２板ばね部２４の第２当接部２４ａはメカシャーシベース１０の上面から離間しており、メカシャーシベース１０は第２板ばね部２４のＺ（＋）方向の反力を受けていない。従って、調整の初期段階においては調整ねじ３３の締め込みに対するばね片２１の反力が小さいため、組立時の位置決めやねじ止め等の作業を容易に実施することが可能となる。
【００３０】
次に、調整ねじ３３をさらに締め込むことで、図７および図８に示すように、ばね片２１の第２板ばね部２４の第２当接部２４ａがメカシャーシベース１０の上面に当接した後、第２板ばね部２４も連絡部２３の下端屈曲部２３ａを支点としてＺ（＋）方向に撓む。これにより、ディスクモータベース３０に作用するばね片２１の付勢力は、第１板ばね部２２によるものだけでなく、第２板ばね部２４によるものも加味されることとなる。従って、メカシャーシベース１０に対するディスクモータベース３０の高さおよび傾きは、調整当初の第１板ばね部２２単独のばね力と比較してＺ（−）方向へ、より大きなばね力で保持することが可能である。
【００３１】
なお、ばね片２１の第２板ばね部２４の第２当接部２４ａがメカシャーシベース１０の上面に当接し始めるときに、ディスクモータベース３０がメカシャーシベース１０に対する所定位置に達するまでの任意の位置にあるように、ばね片２１の各部位の寸法を調整すれば、当接の前後におけるディスクモータベース３０への付勢力を大きく変化させることが可能となる。
【００３２】
以上のように、この実施の形態２によれば、幅の狭いばね片２１の第２板ばね部２４の先端部である第２当接部２４ａが調整ねじ３３の締め込み途中においてメカシャーシベース１０の上面に接触するように構成したので、接触前においてはばね反力が小さいため、組立時の位置決めやねじ止め等の作業を容易に実施することができると共に、接触後においてはばね反力が大きくなるため、メカシャーシベース１０に対するディスクモータベース３０の高さおよび傾きを大きなばね力で安定に保持することができるという効果がある。
【００３３】
実施の形態３．
図９はこの発明の実施の形態３による傾角調整機構の構成を示す側面図である。なお、この実施の形態３による傾角調整機構の構成要素のうち、実施の形態１および実施の形態２の傾角調整機構の構成要素と共通するものについては同一符号を付し、その部分の説明を省略する。
【００３４】
この実施の形態３の特徴は、実施の形態１および実施の形態２においてはばね片２１を断面コ字状に折り曲げて構成したのと異なり、ばね片２１を断面略Ｚ字状に折り曲げて構成した点にある。即ち、この実施の形態３におけるばね片２１は、実施の形態１および実施の形態２におけるばね片２１の第２板ばね部２４を連絡部２３の下端屈曲部２３ａへ戻る方向へ折り曲げて構成されている。図９において４０は第２板ばね部２４の下端屈曲部であり、４１はこの下端屈曲部４０を介して第２板ばね部２４とつながる第３板ばね部であり、４１ａは第３板ばね部４０の下端であって、調整ねじ３３の締め込み途中においてメカシャーシベース１０の上面に接触する第２当接部である。
【００３５】
以上のように、この実施の形態３によれば、ばね片２１を断面略Ｚ字状に折り曲げて構成したので、実質的に断面コ字状に折り曲げて構成した実施の形態２におけるばね片２１と同様に、接触前においてはばね反力が小さいため、組立時の位置決めやねじ止め等の作業を容易に実施することができると共に、接触後においてはばね反力が大きくなるため、メカシャーシベース１０に対するディスクモータベース３０の高さおよび傾きを大きなばね力で保持することができるという効果がある。
【００３６】
実施の形態４．
図１０はこの発明の実施の形態４による傾角調整機構の調整前の構成および当該傾角調整機構を備えるディスク装置の構成を示す分解斜視図であり、図１１はこの発明の実施の形態４による傾角調整機構の調整後の構成および当該傾角調整機構を備えるディスク装置の構成を示す分解斜視図であり、図１２は　図１１に示した傾角調整機構およびディスク装置の構成を示す概略平面図であり、図１３は図１１に示したディスク装置におけるディスクモータベースの構成を示す平面図である。なお、この実施の形態４による傾角調整機構の構成要素のうち、実施の形態１から３までの傾角調整機構の構成要素と共通するものについては同一符号を付し、その部分の説明を省略する。
【００３７】
この実施の形態４の特徴は、図１３に示すように、ディスクモータベース３０に、Ｙ軸を対称軸としてθ１＝θ２となるＶ字部分を有する位置決め穴５０を設け、この位置決め穴５０の近傍に断面矩形状の貫通穴５１を設けると共に、一体型板ばね１８のばね片１９に上記貫通穴５１に挿入可能な押圧片５２を設けた点にある。押圧片５２はばね片１９の凹部１９ａの一部を撓み方向と反対方向に切り起こして形成されている。
【００３８】
次に動作について説明する。
メカシャーシベース１０に対するディスクモータベース３０のＸ−Ｙ平面内の位置決めは、位置決め穴５０のＶ字部分に円筒状の基準部材１４の外周側面を押し当てることによってＸ−Ｙ平面内の回動中心を規定し、回り止め穴部３０ｄと回り止め部１７との係合によるＸ−Ｙ平面内の回動を規制することにより行われる。このとき、基準部材１４の外周側面に、ディスクモータベース３０の位置決め穴５０のＶ字部分を押し当てる付勢力は、ディスクモータベース３０をメカシャーシベース１０に対して所定の位置に配置したときに、板ばね部１９の一対の当接部１９ｂがディスクモータベース３０の下面と接触してＺ方向に撓み、これにより板ばね部１９に設けられた押圧片５２がＹ方向に変位して、位置決め穴５１の側面をＹ方向に押し付けることで得られる。
【００３９】
以上のように、この実施の形態４によれば、円筒状の基準部材１４に位置決め穴５０のＶ字部分を押し当てる押圧片５２を例えばばね片１９に設けるように構成したので、基準部材１４の外径寸法が部品公差内で変化しても、メカシャーシベース１０に対するディスクモータベース３０の位置決めを、上記押し当て方向に垂直な方向（図１３に示すＡ寸法）に精度良く実施することができるという効果がある。
【００４０】
この実施の形態４では、押圧片５２を、ディスクモータベース３０をＺ（−）方向に付勢する一体型板ばね１８と一体化するように構成したので、部品点数を増やすことなくコストの増大を回避することができるという効果がある。
【００４１】
実施の形態５．
図１４はこの発明の実施の形態５による傾角調整機構の調整前の構成および当該傾角調整機構を備えるディスク装置の構成を示す分解斜視図であり、図１５はこの発明の実施の形態５による傾角調整機構の調整後の構成および当該傾角調整機構を備えるディスク装置の構成を示す分解斜視図であり、図１６は図１５のＸＶＩ−ＸＶＩ線断面図である。なお、この実施の形態５による傾角調整機構の構成要素のうち、実施の形態１から４までの傾角調整機構の構成要素と共通するものについては同一符号を付し、その部分の説明を省略する。
【００４２】
この実施の形態５の特徴は、光ピックアップ１３の光軸（図示せず）とディスクモータ３５の回転軸（図示せず）との角度を調整した後に、ディスクモータベース３０とメカシャーシベース１０とを半田で固定するように構成した点にある。即ち、メカシャーシベース１０上には円筒状のガイド部材６０および６１が立設されている。一方、ディスクモータベース３０の位置決め穴３０ａおよびねじ穴３０ｂの近傍には、メカシャーシベース１０のガイド部材６０に係合される貫通穴６２が設けられ、ねじ穴３０ｃ近傍のディスクモータベース３０の縁部にはガイド部材６１の外周面の一部が摺接する半円形状の凹部６３が設けられている。貫通穴６２、凹部６３および回り止め穴３０ｄの周辺には半田付け用のランド部６４，６５および６６が設けられている。なお、図において６７はランド部６４上に塗布された半田部であり、６８はランド部６５上に塗布された半田部であり、６９は回り止め穴３０ｄと回り止め部１７とを固定する半田部である。
【００４３】
次に動作について説明する。
ディスクモータベース３０のメカシャーシベース１０に対する傾角調整後、ガイド部材６０，６１および回り止め部１７を被い、これと結合する形でランド部６４，６５および６６に半田を塗布し、ディスクモータベース３０をガイド部材６０，６１および回り止め部１７に固定する。
【００４４】
なお、必要に応じてディスクモータベース３０をメカシャーシベース１０から取り外す場合は、塗布した半田を加熱し、これを除去した後に、調整ねじ３２および３３、固定ねじ３１を取り外す。これを繰り返すことで、ディスクモータベース３０の固定、取り外しが何度でも行うことが可能である。
【００４５】
以上のように、この実施の形態５によれば、傾角調整後のディスクモータベースの固定がより強固になり、位置ずれを防止し、傾角調整の保持に対する信頼性を向上させることができるという効果がある。
【００４６】
この実施の形態５では、半田を加熱除去することが可能であるので、接着剤で固定した場合と比較してディスクモータベース交換などの作業も容易に実施することが可能となるという効果がある。
【００４７】
【発明の効果】
以上のように、この発明によれば、一体型板ばねと調整ねじとを備え、一体型板ばねのうち、幅の狭いばね片をその撓み方向に折り曲げて、ディスクモータベースに接触する第１当接部を有する第１ばね部とメカシャーシベースに接触する第２当接部を有する第２ばね部とを設けるように構成したので、幅の狭いばね片を折り曲げることで、ばねとして作用する領域を広げることができ、平面寸法を増やすことなく、必要とされる高い保持力を得ることができるという効果がある。
【００４８】
この発明によれば、調整ねじの締め込み途中において第１ばね部の変形により第２ばね部の第２当接部をメカシャーシベースに接触させるように構成したので、第２ばね部の先端部のメカシャーシベースへの接触前においては第１ばね部のみに依存する板ばねの反力を小さく抑制でき、傾角調整の作業性を向上させることができるという効果がある。また、接触後においては第１ばね部に加えて第２ばね部の反力も利用できるようになるため、必要とされる高い保持力を確保することができるという効果がある。
【００４９】
この発明によれば、ディスクモータベースにメカシャーシベースに立設された基準部材の頂部に螺合する固定ねじを位置決めするＶ字部分を有するねじ穴と、該ねじ穴のＶ字部分の近傍に形成された貫通穴とを備えると共に、一体型板ばねのうち、幅の広いばね片に、その撓み方向と反対の方向に切り起こされかつディスクモータベースの貫通穴内に挿入されると共に固定ねじの締め込みに際し基準部材をねじ穴のＶ字部分に押し付ける押圧片を設けるように構成したので、基準部材の外径寸法が部品公差内で変化しても、メカシャーシベースに対するディスクモータベースの位置決めを押圧片の押付け方向に直交する方向に精度よく、かつ部品点数を増やすことなく、実施することができるという効果がある。
【００５０】
この発明によれば、ディスク装置における光ピックアップを摺動可能に保持するメカシャーシベース上に設けられ、ディスクモータを固定したディスクモータベースを支持する一体型板ばねに対し、その付勢力に抗して調整ねじで負荷をかけながら光ピックアップの光軸とディスクモータの回転軸との角度を調整した後、ディスクモータベースの穴部とメカシャーシベースに立設された基準部材との間に半田を塗布してディスクモータベースとメカシャーシベースとを固定するように構成したので、両ベースをより強固に固定でき、位置ずれを防止し、傾角調整の保持に対する信頼性を向上させることができる。また、半田を加熱除去することで、両ベースを引き離すことができ、ディスクモータベース交換等の作業を容易に実施することができるという効果がある。
【図面の簡単な説明】
【図１】この発明の実施の形態１による傾角調整機構の構成および当該傾角調整機構を備えるディスク装置の構成を示す分解斜視図である。
【図２】図１の要部を拡大して示す概略斜視図である。
【図３】図１に示した要部を矢印Ｓ方向から視た概略矢視図である。
【図４】図１に示した傾角調整後のディスク装置の構成を矢印Ｚ方向から視た矢視図である。
【図５】図１に示した傾角調整後のディスク装置の構成を矢印Ｚ（−）方向から視た矢視図である。
【図６】この発明の実施の形態２による傾角調整機構の構成であって、調整ねじの締め込み開始直後の状態を示す側面図である。
【図７】図６に示した状態から調整ねじの締め込みをさらに続けた状態を示す側面図である。
【図８】図７に示した状態から調整ねじの締め込みをさらに続けた状態を示す側面図である。
【図９】この発明の実施の形態３による傾角調整機構の構成を示す側面図である。
【図１０】この発明の実施の形態４による傾角調整機構の調整前の構成および当該傾角調整機構を備えるディスク装置の構成を示す分解斜視図である。
【図１１】この発明の実施の形態４による傾角調整機構の調整後の構成および当該傾角調整機構を備えるディスク装置の構成を示す分解斜視図である。
【図１２】図１１に示した傾角調整機構およびディスク装置の構成を示す概略平面図である。
【図１３】図１１に示したディスク装置におけるディスクモータベースの構成を示す平面図である。
【図１４】この発明の実施の形態５による傾角調整機構の調整前の構成および当該傾角調整機構を備えるディスク装置の構成を示す分解斜視図である。
【図１５】この発明の実施の形態５による傾角調整機構の調整後の構成および当該傾角調整機構を備えるディスク装置の構成を示す分解斜視図である。
【図１６】図１５のＸＶＩ−ＸＶＩ線断面図である。
【図１７】従来のディスク装置における傾角調整機構の構成を示す断面図である。
【符号の説明】
１０　メカシャーシベース、１１，１２　ガイド軸、１３　光ピックアップ、１４　基準部材、１５，１６　ねじ部材、１７　回り止め部、１８　一体型板ばね、１８ａ　基面部、１９，２０，２１　ばね片、２２　第１板ばね部、２２ａ第１当接部、２３　連絡部、２４　第２板ばね部、２４ａ　第２当接部、２５，２６　固定ねじ、３０　ディスクモータベース、３０ａ　位置決め穴、３０ｂ，３０ｃ　ねじ穴、３０ｄ　回り止め穴、３１　固定ねじ、３２，３３　調整ねじ、３４　ターンテーブル、３５　ディスクモータ、３６　スイッチ、４０　下端屈曲部、４１　第３板ばね部、４１ａ　第２当接部、５０　位置決め穴、５１貫通穴、５２　押圧片、６０，６１　ガイド部材、６２　貫通穴、６３　凹部、６４，６５，６６　ランド部、６７，６８，６９　半田部。
【図１】
2004030722.tif 000003
【図２】
2004030722.tif 000004
【図３】
2004030722.tif 000005
【図４】
2004030722.tif 000006
【図５】
2004030722.tif 000007
【図６】
2004030722.tif 000008
【図７】
2004030722.tif 000009
【図８】
2004030722.tif 000010
【図９】
2004030722.tif 000011
【図１０】
2004030722.tif 000012
【図１１】
2004030722.tif 000013
【図１２】
2004030722.tif 000014
【図１３】
2004030722.tif 000015
【図１４】
2004030722.tif 000016
【図１５】
2004030722.tif 000017
【図１６】
2004030722.tif 000018
【図１７】
2004030722.tif 000019